(57)【要約】【課題】意図せぬ筆記状態の解除を防ぐことを可能とする、クリップ機能を備えたスライド式の操作部を有する筆記具を提供する。【解決手段】軸筒４と、軸筒内に配置され且つ前端に筆記部１２ａを有する筆記体１２と、軸筒の軸線方向に移動可能に軸筒の外側に配置され且つ筆記体と連結されたクリップ７と、を具備する筆記具１であって、筆記具を非筆記状態から筆記状態にするためクリップを軸線方向前方へと移動させるとクリップが軸筒の軸心方向へと案内される筆記具において、クリップが、クリップによって片持ち支持され且つクリップから軸筒へと向かう方向に延びる片持ち梁１０を有することを特徴とする筆記具による。【選択図】図２
2017024224.tif 000002
【特許請求の範囲】
【請求項１】
軸筒と、
該軸筒内に配置され且つ前端に筆記部を有する筆記体と、
前記軸筒の軸線方向に移動可能に前記軸筒の外側に配置され且つ前記筆記体と連結されたクリップと、を具備する筆記具であって、
当該筆記具を非筆記状態から筆記状態にするため前記クリップを軸線方向前方へと移動させると前記クリップが前記軸筒の軸心方向へと案内される筆記具において、
前記クリップが、該クリップによって片持ち支持され且つ前記クリップから前記軸筒へと向かう方向に延びる片持ち梁を有することを特徴とする筆記具。
【請求項２】
前記片持ち梁が、前記軸筒に対して凸状となるように湾曲していることを特徴とする請求項１に記載の筆記具。
【発明の詳細な説明】
【技術分野】
【０００１】
本発明は、クリップを有する筆記具に関する。
【背景技術】
【０００２】
従来、筆記具後端において軸筒内の筆記体と連結して配置され、軸筒の軸線方向に移動させることによってその筆記体の筆記部を筆記状態又は非筆記状態とすることができるクリップを有する筆記具が公知である。また、こうしたクリップにおいて、クリップの前部において、クリップの背面に玉部を設けることが公知である。この玉部を設けることにより、クリップによって把持される紙などのクリップ（把持）機能を、向上させることができる。
【０００３】
こうした筆記具を非筆記状態から筆記状態へと切り替える場合、ユーザは、軸筒内のばねによって軸筒の軸線方向後方へと付勢されたクリップを、軸線方向前方へと移動させ、筆記体が前方突出した筆記状態とする。この前方への移動の際、クリップと筆記体とを連結する連結部材は軸筒の径方向内側へと案内され、係止位置に至る。この係止位置において、連結部材は、ばねによって後方へと付勢されると共に、後方を係止部材によって係止されて、筆記状態を保持する。
【０００４】
クリップが軸筒の径方向内側へと案内される際に、クリップ背面の玉部が軸筒外周面に当接するが、クリップは変形しながらさらに軸筒の径方向内側へと移動する。この変形によって、連結部材は、軸筒外周面から、クリップを径方向外側へと押し戻そうとする反力を受ける。この状態でクリップが外力を受けると、クリップが径方向外側へと移動して、連結部材と係止部材との係止状態が解除され、意図せず非筆記状態へと戻されてしまうという現象が生じる。
【０００５】
これについて、図１０を用いて具体的に説明する。図１０は玉部１１０を有する従来の筆記具１０１を非筆記状態から筆記状態へと切り替えた場合のクリップ１０７の移動を示す概略的な部分断面図である。図１０（Ａ）は、筆記具１０１の非筆記状態を示し、図１０（Ｂ）は、筆記具１０１の筆記状態を示す。図１０（Ａ）に示されるように、非筆記状態において、クリップ１０７は後退した位置にある。連結部材１１３の前端は、ばね１１８によって後方へと付勢され、連結部材１１３の後端は、軸筒１０４内に設けられた当接部１１９に当接する。このとき、連結部材１１３の前端に設置された筆記体１１２の前端に配置された筆記部は、軸筒１０４の前端面より後方に位置し、非筆記状態となる。
【０００６】
図１０（Ａ）に示した非筆記状態から図１０（Ｂ）に示した筆記状態とする場合、ユーザは、クリップ１０７を、矢印Ａで示す方向へと移動させる。このとき、上述したように筆記体１１２の前端に位置する筆記部は、軸筒内の案内部によって案内されつつ前方へと移動するため、筆記体１１２は、軸筒１０４の軸心へと向かう方向、すなわち、矢印Ｂで示す方向へと案内される。この位置において、連結部材１１３は、ばね１１８によって後方へと付勢され、連結部材１１３の後端は、軸筒１０４内の係止部１２０によって係止され、筆記状態を保持する。係止部１２０は、当接部１１９よりも連結部材１１３の後端を前方且つ軸心方向に移動させた状態で係止することができるように構成されている。
【０００７】
ここで、上述したように、クリップ本体１０９は、係止位置へと案内される際、軸筒１０４の径方向内側へと案内されるが、このとき、クリップ本体１０９の背面の玉部１１０は、玉部１１０と軸筒１０４の外周面との距離が短くなる方向へと移動することとなり、玉部１１０が軸筒１０４の外周面に対して多少押し込まれるように当接する。この押し込みによって、玉部１１０は、軸筒１０４の外周面から、クリップ本体１０９を径方向外側へと押し戻そうとする反力を受ける。このとき、玉部１１０は、その反力をそのままクリップ本体１０９へと伝えるため、図１０（Ｂ）に示すように、クリップ本体１０９は、玉部１１０を介して伝えられた軸筒１０４の外周面から受けるその反力によって前端が上方に反り返るように変形される。この状態でクリップ本体１０９又は玉部１１０が外力を受けると、クリップ本体１０９が径方向外側へと容易に移動して係止状態が解除され、意図せず非筆記状態へと戻されてしまうという現象が生じる。
【０００８】
特許文献１は、これを防ぐために、軸筒外周面に溝部を設けて、筆記状態、すなわちクリップの係止状態において、玉部が軸筒外周面から離間されるようにした技術を開示している。
【０００９】
さらに、軸筒の外周面に凸部を設けた筆記具（特許文献２）等が公知である。
【先行技術文献】
【特許文献】
【００１０】
【特許文献１】特開２００７−５５１５６号公報
【特許文献２】特開２００９-２０２３３６号公報
【発明の概要】
【発明が解決しようとする課題】
【００１１】
上述したような、軸筒の外周面に溝部又は凸部等の複雑な構造を設けた従来の筆記具は、製造コストを高くし、軸筒の外周面への塗装を困難として創作性を制限するものであった。
【００１２】
そこで、本発明は、意図せぬ筆記状態の解除を防ぐことを可能とする、クリップ機能を備えたスライド式の操作部を有する筆記具を提供することを目的とする。
【課題を解決するための手段】
【００１３】
請求項１に記載の発明によれば、軸筒と、軸筒内に配置され且つ前端に筆記部を有する筆記体と、軸筒の軸線方向に移動可能に軸筒の外側に配置され且つ筆記体と連結されたクリップと、を具備する筆記具であって、当筆記具を非筆記状態から筆記状態にするためクリップを軸線方向前方へと移動させるとクリップが軸筒の軸心方向へと案内される筆記具において、クリップが、クリップによって片持ち支持され且つクリップから軸筒へと向かう方向に延びる片持ち梁を有することを特徴とする筆記具が提供される。
【００１４】
また別の態様によれば、片持ち梁が、軸線方向に沿って延びることを特徴とする筆記具が提供される。
【００１５】
請求項２に記載の発明によれば、片持ち梁が、軸筒に対して凸状となるように湾曲していることを特徴とする筆記具が提供される。
【００１６】
また別の態様によれば、片持ち梁の曲げ剛性が、クリップの曲げ剛性よりも低いことを特徴とする筆記具が提供される。
【００１７】
また別の態様によれば、軸筒内に複数の筆記体を有することを特徴とする筆記具が提供される。
【００１８】
また別の態様によれば、クリップに連結された筆記体が、シャープペンシルであることを特徴とする筆記具が提供される。
【発明の効果】
【００１９】
各請求項に記載の発明によれば、意図せぬ筆記状態の解除を防ぐことを可能とする、クリップ機能を備えたスライド式の操作部を有する筆記具を提供することが可能となる。
【図面の簡単な説明】
【００２０】
【図１】本発明に係る筆記具の非筆記状態における正面図である。
【図２】図１の筆記具の非筆記状態における縦方向の断面図である。
【図３】図１のクリップの前面及び背面から見た斜視図である。
【図４】図２の筆記具を非筆記状態から筆記状態へと切り替えた場合の片持ち梁の変化の前後を示す概略的な部分断面図である。
【図５】クリップ本体及び片持ち梁の断面図である。
【図６】図４（Ｂ）のクリップに薄い物体を挟んだときの状態を示す断面図である。
【図７】図４（Ｂ）のクリップに図６の物体よりもさらに厚さの厚い物体を挟んだ場合の状態を示す断面図である。
【図８】図１の筆記具において片持ち梁が破断して取り除かれた状態を示す正面図である。
【図９】本発明の別の実施形態に係るクリップを示す断面図である。
【図１０】玉部を有する従来の筆記具を非筆記状態から筆記状態へと切り替えた場合のクリップの移動を示す概略的な部分断面図である。
【発明を実施するための形態】
【００２１】
以下、図面を参照しながら本発明の実施の形態を詳細に説明する。全図面に亘り、対応する構成要素には共通の参照符号を付す。
【００２２】
図１は本発明に係る筆記具１の非筆記状態における正面図であり、図２は図１の筆記具１の非筆記状態における縦方向の断面図である。
【００２３】
図１において、筆記具１は、前軸２及び前軸２の後方に位置する後軸３からなる、筒形状に形成された軸筒４と、筆記具１の前端部の口金２ａと、口金２ａの後方に位置する把持部５と、筆記具１の後端部の後軸３に装着され、内部に収容された筆記体の筆跡の消去、変色、消色のための消しゴム、摩擦体等のカバーをする天冠６と、筆記具１の後方に設置された、シャープペンシルを操作可能なクリップ７と、他の筆記体を操作可能な操作部８からなる複数の筆記体を有する筆記具である。前軸２、後軸３、天冠６、クリップ７及び操作部８は、例えばポリカーボネート等といった比較的硬質の樹脂材料から形成されている。把持部５は、ゴム、エラストマー等の粘弾性材料から形成されている。
【００２４】
本明細書では、筆記具１の軸線方向において、口金２ａ側を「前」側と規定し、口金２ａとは反対側を「後」側と規定する。
【００２５】
図２は、図１の筆記具１の非筆記状態における縦方向の断面図である。前軸２及び後軸３は、それぞれの螺合部２ｂ及び３ａで互いに螺合させることによって結合される。結合はねじ結合によるものであるが、その他の結合方法であってもよい。
【００２６】
クリップ７は、クリップ本体９と、クリップ本体９とシャープペンシルの筆記体１２とを連結するための連結部材１３と、クリップ本体９の背面から軸筒４へと向かう方向に湾曲して延びる片持ち梁１０と、を有する。
【００２７】
連結部材１３の前端は、軸筒４の内部において筆記体１２の後端と連結されており、連結部材１３の後端は、軸筒４に設けられた軸筒窓１５を通して軸筒４内から径方向外側へと突出し、クリップ本体９の背面に連結される。クリップ本体９は、軸筒４から径方向外側に離間して軸線方向前方へと延びる。筆記体１２の前端には筆記部１２ａが配置され、図２の非筆記状態において、筆記部１２ａは、軸筒４の軸心から径方向に離間して、前軸２の前端に位置する口金２ａの前端面より後退した位置にある。
【００２８】
クリップ７を、図２に示す非筆記状態から前方に移動させると、連結部材１３によってクリップ７と連結された筆記体１２も前方へと移動する。その移動によって、筆記部１２ａは、口金２ａの内側の面が案内部となり、この案内部に沿って前方且つ軸心へと案内されて口金２ａの前端面から突出され、筆記状態となる。その状態で、他の筆記体に連結された操作部８を前方移動して筆記状態とすると、筆記部１２ａの筆記状態が解除されて非筆記状態となる。
【００２９】
クリップ７の片持ち梁１０は、クリップ本体９によって片持ち支持されて軸筒４へと向かう方向に湾曲して延びる。以下、片持ち梁１０について詳述する。
【００３０】
図３（Ａ）は、クリップ本体９を正面から見た斜視図であり、図３（Ｂ）は、クリップ本体９を背面から見た斜視図である。図３（Ａ）に示されるように、クリップ本体９には、クリップ本体９を前面から背面へと貫通する細長いクリップ窓１６が設けられている。図３（Ｂ）に示されるように、片持ち梁１０は、前端を、クリップ窓１６の前端に隣接するクリップ本体９に片持ち支持されて、クリップ本体９から軸筒４（図２参照）へと向かう方向に傾斜して延び、軸筒４へと向かう方向に凸状となるように湾曲する。片持ち梁１０の後端は固定されない自由端であり、図３（Ａ）に示されるように、クリップ窓１６内まで延びる。さらに、クリップ本体９の背面には、連結部材１３を連結するための座ぐり部１７が設けられている。連結部材１３の突起部１３ａ（図２参照）は、この座ぐり部１７内の凹部１７ａに圧入されてクリップ本体９と連結部材１３とを連結する。クリップ本体９と連結部材１３との連結は、圧入以外の方法であってもよい。
【００３１】
図４は、図２の筆記具１を非筆記状態から筆記状態へと切り替えた場合の片持ち梁１０の変化の前後を示す概略的な部分断面図である。図４（Ａ）は、筆記具１の非筆記状態を示し、図４（Ｂ）は、筆記具１の筆記状態を示す。図４（Ａ）に示されるように、非筆記状態において、クリップ７は後退した位置にある。連結部材１３の前端は、ばね１８によって後方へと付勢され、連結部材１３の後端は、後軸３に設けられた当接部１９に当接する。このとき、連結部材１３の前端に設置された筆記体１２の筆記部１２ａは、図１で示した口金２ａの前端面より後方に位置し、非筆記状態となる。また、この状態において、片持ち梁１０は、軸筒４に対して当接し、軸筒４によって少しだけ押し上げられた位置まで変形される。
【００３２】
図４（Ａ）に示した非筆記状態から図４（Ｂ）に示した筆記状態とする場合、ユーザは、クリップ７を、矢印Ａで示す方向へと移動させる。このとき、上述したように筆記体１２の前端に位置する筆記部１２ａは、口金２ａの内側の面に沿って前方へと移動するため、筆記体１２は、軸筒４の軸心へと向かう方向、すなわち、矢印Ｂで示す方向へと案内される。この位置において、連結部材１３は、ばね１８によって後方へと付勢され、連結部材１３の後端は、軸筒４内の係止部２０によって係止され、筆記状態を保持する。係止部２０は、当接部１９よりも連結部材１３の後端を前方且つ軸心方向に移動させた状態で係止することができるように構成されている。
【００３３】
図４（Ｂ）に示した位置に保持された状態でクリップ７をさらに前方へと移動させると、連結部材１３を介して筆記体１２の芯出し機構（図示せず）が駆動され、筆記部１２ａからシャープペンシルの芯が繰り出される。
【００３４】
ここで、図４（Ａ）と図４（Ｂ）を比較すると、クリップ本体９は、前方移動に伴って変形されていないのに対し、片持ち梁１０は、前方移動に伴って軸筒４に対して押し付けられることにより、矢印Ｃで示す方向に変形されているのがわかる。すなわち、筆記具１を非筆記状態から筆記状態へと切り替える際の、クリップの前方移動に伴う軸心方向移動は、軸筒４に当接した片持ち梁１０を軸筒４の径方向外側へと押し上げるように変形させるが、この変形は、片持ち梁１０のみに生じるものであり、クリップ本体９はほとんど変形させられない。クリップ本体９が変形させられないため、クリップ本体９に連結された連結部材１３もほとんど影響を受けることがなく、図１０を用いて上述した従来技術に係るクリップのように、意図せず連結部材１３が係止部２０との係止状態を解除して、非筆記状態となってしまうという問題も生じない。
【００３５】
上述したように、本発明のクリップ７は、筆記具１が筆記状態となったとき、クリップ７の片持ち梁１０は、軸筒４によって押し上げられて変形するが、クリップ本体９はほとんど変形しないという特徴を有する。これは、片持ち梁１０に負荷がかかっても、ほとんどクリップ本体９には力が伝えられないことによるものである。具体的には、片持ち梁１０の曲げ剛性が、クリップ本体９の曲げ剛性よりも低くなるように構成されていることに起因する。これによって、片持ち梁１０に対して、片持ち梁１０を変形させるような力が付与されても、その力は曲げ剛性の低い片持ち梁１０が変形されることによって逃され、クリップ本体９にはほとんど伝えられない。
【００３６】
図５（Ａ）は、図４（Ｂ）のクリップ本体９のＸ−Ｘ断面図であり、図５（Ｂ）は、図４（Ｂ）の片持ち梁１０のＹ−Ｙ断面図である。図示されるように、クリップ本体９の断面積に対して片持ち梁１０の断面積は十分に小さくなるように構成される。これによってクリップ本体９の曲げ剛性に対して、片持ち梁１０の曲げ剛性を低くすることが可能となる。別の実施形態として、断面２次モーメントの大きさを調整するように断面形状を決定して、それぞれの曲げ剛性を構成してもよい。
【００３７】
図６は、図４（Ｂ）の状態のクリップに、クリップ本体９の背面と軸筒４との最短距離に等しい厚さの物体２４を挟んだときの状態を示す断面図である。この状態において、片持ち梁１０は、クリップ窓１６内へと完全に押し込まれて、クリップ本体９の背面からは全く突出しない状態となる。このとき、クリップ本体９は、ほとんど変形されない。
【００３８】
図７は、図４（Ｂ）の状態のクリップ７に、図６の物体２４よりも厚い物体２５を挟んだときの状態を示す断面図である。このとき、片持ち梁１０は既に図６で示したようにクリップ窓１６内に完全に押し込まれているため、これ以上変形せず、クリップ本体９が上方へと押し出されて変形する。したがって、本発明のクリップ７は、挟む物体の厚さに応じて、片持ち梁１０のみ変形させる場合と、片持ち梁１０及びクリップ本体９の両方を変形させる場合と、で異ならせることが可能となる。これにより、図６で示した薄い物体２４の厚さ以下の厚さの物体を繰り返し挟むことにより受ける応力は、図６に破線Ｄで示す位置に集中し、従来のクリップの場合に応力が集中する、破線Ｅで示した位置には集中しない。したがって、物体２４の厚さ以下の物体の挟み込みによって繰り返し荷重を受けた場合、Ｄの部分が先に疲労し、或いは、破断することとなる。
【００３９】
図８は、図６のＤの位置で片持ち梁１０が破断された場合の筆記具１’の正面図である。図８の筆記具１’と図１の筆記具１との違いは、片持ち梁１０の有無のみであるが、この違いは、筆記具１’の審美性にほとんど影響を与えないことが確認できる。さらにクリップ本体９自体は破断されていないため、クリップ本体９の背面と軸筒４との間の距離よりも厚さの厚い物体は挟むことができる。これに対し、図１０で示した従来のクリップ本体１０９の場合、薄い物体を挟んだ場合であっても、クリップ本体１０９が変形され、クリップ本体１０９と連結部材１１３との連結部周辺に応力が集中するため、その位置で破壊されてしまい、クリップ１０７の大部分を失ってしまうこととなる。こうした筆記具は審美性も悪く、クリップ１０７で物体を挟むことはもはや不可能となる。
【００４０】
図９は、本発明の別の実施形態に係るクリップ２６を示す断面図である。この実施形態においては、片持ち梁２７の支持部２７ａが肉薄となっており、この位置で曲げ剛性が低くなるように構成されている。これによって、片持ち梁２７の曲げ剛性を、図４で示した片持ち梁１０の曲げ剛性よりも低くことができるため、片持ち梁２７に力が加えられた場合、片持ち梁２７が変形されることによって、クリップ本体２８へと伝わる力をより低減させることができる。したがって、筆記状態においてクリップ２６が外力を受けることにより、クリップ本体２８に連結された連結部材１３が径方向外側へと移動して係止状態が解除され、意図せず非筆記状態へと戻されてしまうという現象が生じるのを抑制する、という本発明の効果をより向上させることができる。
【００４１】
本明細書において、片持ち梁１０は湾曲するものとして説明してきたが、湾曲せずに、クリップ本体９から軸筒４へと向かう平板形状であってもよく、軸線方向に対して傾斜した平板形状であってもよい。さらに本明細書において、クリップ７と片持ち梁１０とは、一体化された部材であるものとして説明してきたが、互いに異なる部材からなるものであってもよく、異なる材質の部材であってもよい。
【符号の説明】
【００４２】
１    筆記具
２    前軸
２ａ    口金
２ｂ    螺合部
３    後軸
３ａ    螺合部
４    軸筒
５    把持部
６    天冠
７    クリップ
９    クリップ本体
１０    片持ち梁
１２    筆記体
１２ａ    筆記部
１３    連結部材
１３ａ    突起部
１５    軸筒窓
【図１】
2017024224.tif 000003
【図２】
2017024224.tif 000004
【図３】
2017024224.tif 000005
【図４】
2017024224.tif 000006
【図５】
2017024224.tif 000007
【図６】
2017024224.tif 000008
【図７】
2017024224.tif 000009
【図８】
2017024224.tif 000010
【図９】
2017024224.tif 000011
【図１０】
2017024224.tif 000012